【手続補正書】
【提出日】平成20年6月6日(2008.6.6)
【手続補正１】
【補正対象書類名】明細書
【補正対象項目名】特許請求の範囲
【補正方法】変更
【補正の内容】
【特許請求の範囲】
【請求項１】 超音波システム（５）が生成したドプラ・データに応答して複数の歪み度スペクトルを作成し表示するための装置であって、前記複数の歪み度スペクトルを作成するように前記ドプラ・データに対して応答性を示す歪み度処理装置（１００）を備え、
前記歪み度処理装置（１００）が、前記ドプラ・データに応答して複数の未処理歪み度スペクトルを作成する第１の要素と、前記複数の未処理歪み度スペクトルに応答して前記複数の歪み度スペクトルを作成する第２の要素を備える装置。
【請求項２】 前記歪み度処理装置（１００）が、複数の未処理歪み度スペクトルを作成するように２組のドプラ・スペクトルを含むような前記ドプラ・データに対して応答性を示す循環畳み込み要素（２３０）と、スケール変換された振幅値を含むような前記複数の歪み度スペクトルを作成するように前記複数の未処理歪み度スペクトルに対して応答性を示すスケール変換要素（２４０）と、を備えている、請求項１に記載の装置。
【請求項３】 前記２組のドプラ・スペクトルが、前記超音波システム（５）が発生させる超音波ビーム（１４５）に沿った第１のサンプル深度（１４１）に対応した第１組のドプラ・スペクトル（２１０）と、前記超音波ビーム（１４５）に沿った第２のサンプル深度（１４２）に対応した第２組のドプラ・スペクトル（２２０）と、を含んでいる、請求項２に記載の装置。
【請求項４】 前記歪み度処理装置（１００）が、複数の未処理歪み度スペクトルを作成するように２組の複素ドプラ・パケットを含むような前記ドプラ・データに対して応答性を示すスペクトル推定要素（２７０）と、スケール変換された振幅値を含むような前記複数の歪み度スペクトルを作成するように前記複数の未処理歪み度スペクトルに対して応答性を示すスケール変換要素（２８０）と、を備えている、請求項１に記載の装置。
【請求項５】 前記２組の複素ドプラ・パケットが、前記超音波システム（５）が発生させる超音波ビーム（１４５）に沿った第１のサンプル深度（１４１）に対応した第１組の複素ドプラ・パケットと、前記超音波ビーム（１４５）に沿った第２のサンプル深度（１４２）に対応した第２組の複素ドプラ・パケットと、を含んでいる、請求項４に記載の装置。
【請求項６】 前記スペクトル推定要素（２７０）が、前記複数の未処理歪み度スペクトルからなる単一の未処理歪み度スペクトルを作成するように前記第１組の複素ドプラ・パケットからの第１の複素ドプラ・パケット（２５０）及び前記第２組の複素ドプラ・パケットからの第２の複素ドプラ・パケット（２６０）に関する共役複素数に対して応答性を示す、請求項５に記載の装置。
【請求項７】 前記歪み度処理装置（１００）が、複数の複素自己相関パケットを作成するように複数の複素ドプラ・パケットを含むような前記ドプラ・データに対して応答性を示す複素自己相関要素（２９０）と、複数の未処理歪み度スペクトルを作成するように前記複数の複素自己相関パケットに対して応答性を示すスペクトル推定要素（３１０）と、スケール変換された振幅値を含むような前記複数の歪み度スペクトルを作成するように前記複数の未処理歪み度スペクトルに対して応答性を示すスケール変換要素（３２０）と、を備えている、請求項１に記載の装置。
【請求項８】 前記複数の未処理歪み度スペクトルの各未処理歪み度スペクトルが前記複数の複素ドプラ・パケットの一意の部分組から作成されると共に、前記一意の部分組内の複素ドプラ・パケットの各々が前記超音波システム（５）が走査面（１４０）内で発生させる超音波ビーム（１４５）に沿った一意の１つのサンプル深度に対応している、請求項７に記載の装置。
【請求項９】 前記複数の歪み度スペクトルの前記作成及び表示が、前記超音波システム（５）の組み込み機能としてリアルタイムで達成されている、請求項１に記載の装置。
【請求項１０】 前記複数の歪み度スペクトルの前記作成及び表示が、前記超音波システム（５）のリアルタイム動作と独立に後処理機能として達成されている、請求項１に記載の装置。
【請求項１１】 さらに、前記超音波システム（５）のオペレータに対してモニタ（１５０）上でスペクトル時間軸画像として表示させる歪み度スペクトログラム（２００）を作成するように前記複数の歪み度スペクトルに対して応答性を示す表示処理装置（１３０）を備える請求項１に記載の装置。
【請求項１２】 前記複数の歪み度スペクトルから導出されるスペクトル時間軸画像の表示形式が、歪み度（１７０）対時間（１９０）を含む、請求項１に記載の装置。
【請求項１３】 前記複数の歪み度スペクトルから導出されるスペクトル時間軸画像の表示形式が、ドプラ周波数差（１８０）対時間（１９０）を含む、請求項１に記載の装置。
【請求項１４】 被検体内の組織セグメント（１４７）に対応して超音波システム（５）が生成したドプラ・データに応答して複数の歪み度スペクトルを作成し表示するための方法であって、前記複数の歪み度スペクトルを作成するように前記ドプラ・データに応答して歪み度処理（１００）を実行するステップを含み、該歪み度処理（１００）を実行するステップが、前記ドプラ・データに応答して複数の未処理歪み度スペクトルを作成するステップと、前記複数の未処理歪み度スペクトルに応答して前記複数の歪み度スペクトルを作成するステップとを備える方法。
【請求項１５】 前記歪み度処理（１００）のステップが、複数の未処理歪み度スペクトルを作成するように２組のドプラ・スペクトルを含むような前記ドプラ・データに応答して循環畳み込み処理（２３０）を実行するステップと、スケール変換された振幅値を含むような前記複数の歪み度スペクトルを作成するように前記複数の未処理歪み度スペクトルに応答して強度値スケール変換（２４０）を実行するステップと、を含む、請求項１４に記載の方法。
【請求項１６】 前記２組のドプラ・スペクトルが、前記超音波システムが発生させる超音波ビーム（１４５）に沿った第１のサンプル深度（１４１）に対応した第１組のドプラ・スペクトル（２１０）と、前記超音波ビーム（１４５）に沿った第２のサンプル深度（１４２）に対応した第２組のドプラ・スペクトル（２２０）と、を含んでいる、請求項１５に記載の方法。
【請求項１７】 前記歪み度処理（１００）のステップが、複数の未処理歪み度スペクトルを作成するように２組の複素ドプラ・パケットを含むような前記ドプラ・データに応答してスペクトル推定処理（２７０）を実行するステップと、スケール変換された振幅値を含むような前記複数の歪み度スペクトルを作成するように前記複数の未処理歪み度スペクトルに応答して振幅値スケール変換（２８０）を実行するステップと、を含む、請求項１４に記載の方法。
【請求項１８】 前記２組の複素ドプラ・パケットが、前記超音波システム（５）が発生させる超音波ビーム（１４５）に沿った第１のサンプル深度（１４１）に対応した第１組の複素ドプラ・パケットと、前記超音波ビーム（１４５）に沿った第２のサンプル深度（１４２）に対応した第２組の複素ドプラ・パケットと、を含んでいる、請求項１５に記載の方法。
【請求項１９】 前記第１組の複素ドプラ・パケットからの第１の複素ドプラ・パケット（２５０）及び前記第２組の複素ドプラ・パケットからの第２の複素ドプラ・パケット（２６０）に関する共役複素数に応答して前記スペクトル推定処理（２７０）を実行することによって、前記複数の未処理歪み度スペクトルからなる単一の未処理歪み度スペクトルを得ている、請求項１８に記載の方法。
【請求項２０】 前記歪み度処理（１００）のステップが、複数の複素自己相関パケットを作成するように複数の複素ドプラ・パケットを含むような前記ドプラ・データに応答して複素自己相関処理（２９０）を実行するステップと、複数の未処理歪み度スペクトルを作成するように前記複数の複素自己相関パケットに応答してスペクトル推定処理（３１０）を実行するステップと、スケール変換された振幅値を含むような前記複数の歪み度スペクトルを作成するように前記複数の未処理歪み度スペクトルに応答して振幅値スケール変換（３２０）を実行するステップと、を含む、請求項１４に記載の方法。
【請求項２１】 前記複数の未処理歪み度スペクトルの各未処理歪み度スペクトルが前記複数の複素ドプラ・パケットの一意の部分組から作成されると共に、前記一意の部分組内の複素ドプラ・パケットの各々が前記超音波システム（５）が走査面（１４０）内で発生させる超音波ビーム（１４５）に沿った一意の１つのサンプル深度に対応している、請求項２０に記載の方法。
【請求項２２】 前記複数の歪み度スペクトルの前記作成及び表示が、前記超音波システム（５）の組み込み機能としてリアルタイムで達成されている、請求項１４に記載の方法。
【請求項２３】 前記複数の歪み度スペクトルの前記作成及び表示が、前記超音波システム（５）のリアルタイム動作と独立に後処理機能として達成されている、請求項１４に記載の方法。
【請求項２４】 前記超音波システム（５）のオペレータに対してスペクトル時間軸画像として表示させる歪み度スペクトログラム（２００）を作成するように前記複数の歪み度スペクトルに応答して表示処理（１３０）を実行するステップをさらに含む請求項１４に記載の方法。
【請求項２５】 前記複数の歪み度スペクトルから導出されるスペクトル時間軸画像の表示形式が、歪み度（１７０）対時間（１９０）を含む、請求項１４に記載の方法。
【請求項２６】 前記複数の歪み度スペクトルから導出されるスペクトル時間軸画像の表示形式が、ドプラ周波数差（１８０）対時間（１９０）を含む、請求項１４に記載の方法。
【請求項２７】 被検体の組織セグメント（１４７）に対応した複数の歪み度スペクトルを作成し表示するための診断用超音波スキャナ（５）であって、走査線（１４５）に沿って前記被検体内に超音波エネルギーを送信しており、前記被検体から後方散乱された前記送信超音波エネルギーに対して応答性を示すと共に前記走査線（１４５）に沿って受信ビーム形成済みデータを生成しているフロントエンド（１０）と、前記受信ビーム形成済みデータに対して応答性を示すと共に複素ドプラ・パケットを生成している復調モジュール（８５）と、前記複素ドプラ・パケットに対して応答性を示すと共にドプラ・スペクトル・データを生成しているドプラ処理モジュール（９０）と、ドプラ・データに対して応答性を示すと共に複数の歪み度スペクトルを生成している歪み度処理モジュール（１００）と、前記複数の歪み度スペクトルに対して応答性を示すと共に歪み度スペクトログラム（２００）を生成しているスペクトル・バッファ・モジュール（１２０）と、前記歪み度スペクトログラム（２００）に対して応答性を示すと共にスペクトル歪み度画像を生成している表示アーキテクチャ（１６０）と、を備える診断用超音波スキャナ（５）。
【請求項２８】 前記ドプラ・データが前記ドプラ・スペクトル・データを含む、請求項２７に記載の診断用超音波スキャナ（５）。
【請求項２９】 前記ドプラ・データが前記複素ドプラ・パケットを含む、請求項２７に記載の診断用超音波スキャナ（５）。
【請求項３０】 前記複数の歪み度スペクトルから導出されるスペクトル時間軸画像の表示形式が、歪み度（１７０）対時間（１９０）を含む、請求項２７に記載の診断用超音波スキャナ（５）。
【請求項３１】 前記複数の歪み度スペクトルから導出されるスペクトル時間軸画像の表示形式が、ドプラ周波数差（１８０）対時間（１９０）を含む、請求項２７に記載の診断用超音波スキャナ（５）。